(57)【要約】【課題】この発明は、共用部で撮影された通行者のプライバシーを確保することができる映像監視システムを提供することを目的とするものである。【解決手段】監視領域である共用部３には、カメラ４が設けられている。カメラ４で撮影された映像は、撮影信号として変調器５を介して混合器２に入力される。撮影信号は、変調器５によって、テレビ放送に利用されていない空き周波数の信号に変調されるとともに、コピーガード信号が付加される。そして、撮影信号は、混合器２によって受信アンテナ１が受信したテレビ放送用の信号に混合され、居住者各戸に分配器６によって分配される。【選択図】図１
2006115179.tif 000002
【特許請求の範囲】
【請求項１】
監視領域を撮影するカメラ、及び
上記カメラからの撮影信号をテレビ放送用信号に重畳するために変調する変調手段
を備え、
上記変調手段は、録画を不可能とするコピーガード信号を上記撮影信号に付加することを特徴とする映像監視システム。
【請求項２】
上記変調手段は、時間情報に応じて上記コピーガード信号を上記撮影信号に付加することを特徴とする請求項１記載の映像監視システム。
【請求項３】
利用者が行う操作を上記変調手段に対して入力する操作入力手段
をさらに備え、
上記変調手段は、上記操作入力手段の操作に応じて上記コピーガード信号を上記撮影信号に付加することを特徴とする請求項１又は請求項２に記載の映像監視システム。
【発明の詳細な説明】
【技術分野】
【０００１】
この発明は、カメラからの撮影信号をテレビ放送用信号に重畳するために変調する変調手段を有する映像監視システムに関するものである。
【背景技術】
【０００２】
従来装置では、共同住宅の居住者が共同利用する玄関に、来訪者の映像を撮影するカメラが設置されている。居住者各戸には、共同受信アンテナで受信される各チャンネルの信号が分配されている。カメラの映像信号は、この各チャンネルの信号内の空き周波数に変換される。変換された映像信号は、共同受信アンテナで受信される各チャンネル信号に重畳される。これにより、カメラで撮影された玄関の映像を居住者各戸において確認することができる（例えば、特許文献１参照）。
【０００３】
【特許文献１】特開２００３−９２６３５号公報
【発明の開示】
【発明が解決しようとする課題】
【０００４】
上記のような従来の映像監視システムでは、共同住宅居住者が共同利用する共用部の映像を居住者各戸においてビデオ等で録画することが可能であるので、共用部で撮影された通行者のプライバシーを確保できないという問題がある。
【０００５】
この発明は、上記のような課題を解決するためになされたものであり、その目的は、共用部を通行する通行者のプライバシーを確保することができる映像監視システムを提供することである。
【課題を解決するための手段】
【０００６】
この発明に係る映像監視システムは、監視領域を撮影するカメラ、及びカメラからの撮影信号をテレビ放送用信号に重畳するために変調する変調手段を備え、変調手段は、カメラで撮影された映像の録画を不可能とするコピーガード信号を撮影信号に付加する。
【発明の効果】
【０００７】
この発明の映像監視システムによれば、変調手段によって撮影信号にコピーガード信号が付加されるので、カメラによって撮影された映像を居住者各戸において録画することが不可能となり、通行者のプライバシーを確保することができる。
【発明を実施するための最良の形態】
【０００８】
以下、この発明を実施するための最良の形態について、図面を参照して説明する。
実施の形態１．
図１は、この発明の実施の形態１による映像監視システムを示すブロック図である。図において、共同住宅には、テレビ放送の電波を受信するための受信アンテナ１が設けられている。テレビ放送の電波は、定められた範囲の周波数帯の信号である。また、テレビ放送の電波は、互いに設定された間隔をおいてテレビ放送に利用されている複数の放送利用周波数と、それぞれの放送利用周波数間の周波数、即ちテレビ放送に利用されていない空き周波数とを有している。受信アンテナ１によって受信されたテレビ放送の電波は、受信信号として混合器２に入力される。
【０００９】
共同住宅の居住者が共同利用する共用部（例えば、玄関又はエレベータホール等）３には、監視領域を撮影するカメラ４が設けられている。カメラ４によって撮影された映像は、撮影信号として変調器（変調手段）５を介して混合器２に対して入力される。
【００１０】
変調器５は、変調機能とコピーガード信号付加機能とを有している。変調器５に入力された撮影信号は、空き周波数の信号に変調されるとともに、コピーガード信号が付加される。コピーガード信号とは、カメラ４によって撮影された映像の録画を不可能とする信号である。
【００１１】
混合器２に入力された撮影信号は、混合器２によって受信アンテナ１が受信した受信信号と混合され、映像信号として分配器６に入力される。分配器６は、入力された映像信号を居住者各戸７に分配する。
【００１２】
居住者各戸７には、ビデオテープレコーダ（ビデオ）８及びテレビ装置（ＴＶ）９が設けられている。居住者各戸７では、テレビ装置９でテレビ放送の視聴及び共用部の映像の確認を選択的に行うことができる。
【００１３】
このような映像監視システムでは、変調器５によって撮影信号にコピーガード信号が付加されるので、カメラ４で撮影された映像を居住者各戸７においてビデオテープレコーダ８で録画することが不可能となり、通行者のプライバシーを確保することができる。
【００１４】
実施の形態２．
図２は、この発明の実施の形態２による映像監視システムを示すブロック図である。図において、変調器５は、タイマ１０を用いることで時間情報（時刻）を監視している。変調器５には、カメラ４からの撮影信号にコピーガード信号を付加する時間帯であるコピーガード信号付加時間帯（例えば、朝６：００から夜２１：００までの時間帯においては撮影信号にコピーガード信号を付加する等）が予め設定されている。変調器５は、時間情報及びコピーガード信号付加時間帯に基づいて撮影信号にコピーガード信号を付加する。その他の構成は実施の形態１と同様である。
【００１５】
このような映像監視システムでは、実施の形態１の効果に加え、コピーガード信号が設定された時間帯に基づいて付加されるので、時間帯によっては（例えば、深夜から早朝にかけての時間帯）映像を録画することができ、利便性を向上させることができる。
【００１６】
実施の形態３．
図３は、この発明の実施の形態３による映像監視システムを示すブロック図である。図において、通行者は、リモコン送信器１１を携帯している。共用部３には、リモコン受信器（操作入力手段）１２が設けられている。
【００１７】
リモコン送信器１１の操作が、リモコン受信器１２とリモコン送信器１１とが通信可能な距離で行われると、リモコン受信器１２は、リモコン送信器１１で行われた操作を変調器５に対して操作情報として入力する。変調器５は、操作情報に基づいて、所定時間（例えば５分間）内のみ、撮影信号に対してコピーガード信号を付加する。その他の構成は実施形態１と同様である。
【００１８】
このような映像監視システムでは、実施の形態１の効果に加え、撮影信号にコピーガード信号を付加するかどうかが通行者の意思によって決定されるので、通行者の安心感を向上させることができる。
【００１９】
なお、実施の形態３において、リモコン受信器１２が、利用者が行う操作を変調器５に対して入力していたが、操作入力手段は、リモコン受信器１２に限らず、パスワードを入力する操作装置又は個人認証装置等でもよい。
【００２０】
また、実施の形態１〜３では、変調器５により撮影信号にコピーガード信号を付加したが、変調器とは別の装置（コピーガード信号付加装置）によりコピーガード信号を付加してもよい。即ち、変調手段は、複数の装置によって構成されてもよい。
【００２１】
さらに、実施の形態１〜３において、カメラ４からの撮影信号を管理人室等に分配し、管理人室等では、カメラ４で撮影された映像を常時録画可能としてもよい。
【００２２】
さらにまた、実施の形態１〜３において、共用部３における音声信号が、カメラ４からの撮影信号とともに居住者各戸に分配される場合には、音声信号にもコピーガード信号を付加してもよい。
【図面の簡単な説明】
【００２３】
【図１】この発明の実施の形態１による映像監視システムを示すブロック図である。
【図２】この発明の実施の形態２による映像監視システムを示すブロック図である。
【図３】この発明の実施の形態３による映像監視システムを示すブロック図である。
【符号の説明】
【００２４】
３  共用部（監視領域）、４  カメラ、５  変調器（変調手段）、１２  リモコン受信器（操作入力部）。
【図１】
2006115179.tif 000003
【図２】
2006115179.tif 000004
【図３】
2006115179.tif 000005